(57)【要約】【課題】確実に蓋の開閉状態を検知する洗濯機を提供すること。【解決手段】蓋２８の先端部裏面に突設された凸部４１と、凸部４１先端に設けられた磁石２５と、操作パネル２７に形成され、蓋２８が閉状態の時に凸部４１および磁石２５が遊嵌する凹部４２と、操作パネル２７内に設けられた制御装置１４に配設され、磁石２５と対向するリードスイッチ等から成る蓋開閉検知機構２０とを備え、操作パネル２７の裏面側で凹部４２外周部に鉄板材からなる遮蔽板２６を挿着するとともに、遮蔽板２６は、蓋２８が閉状態の時に磁石２５よりも上方に位置し、かつ、蓋２８先端部に指が入らない所定位置まで蓋２８が開いた時に磁石２５よりも下方に位置することにより、確実に蓋２８が開いた状態を検知することができ、安価で、高い安全性を発揮する洗濯機を実現することができる。【選択図】図１
2013103108.tif 000002
【特許請求の範囲】
【請求項１】
衣類投入口を覆うように開閉自在に設けられた蓋と、前記蓋に突設された凸部と、前記凸部に設けられた磁石と、前記衣類投入口の前部に配設された操作パネルと、前記操作パネルに形成され、前記蓋が閉状態の時に前記凸部および前記磁石が遊嵌する凹部と、前記操作パネル内に設けられた制御装置に配設され、前記磁石と対向する蓋開閉検知機構とを備え、前記凹部の外周部に略矩形状の遮蔽板を挿着するとともに、前記遮蔽板は、蓋が閉状態の時は前記磁石よりも上方に位置し、前記蓋が所定位置まで開いた時に前記磁石よりも下方に位置する洗濯機。
【発明の詳細な説明】
【技術分野】
【０００１】
本発明は、衣類投入部を開閉する蓋を有する洗濯機に関するものである。
【背景技術】
【０００２】
従来、この種の洗濯機では、蓋の開閉を磁石とリードスイッチを用いて検知する構成が提案されてきた。（例えば、特許文献１参照）。
【０００３】
図４は、特許文献１に記載された従来の洗濯機の縦断面図、図５は、同洗濯機の要部断面図を示す。
【０００４】
図４、図５において、外槽１は、底部に撹拌翼２を回転自在に配設した洗濯兼脱水槽３を回転自在に内包し、吊り棒４により洗濯機外枠５に吊り下げている。モータ６は、減速機構兼クラッチ７を介して、撹拌翼２または洗濯兼脱水槽３を駆動する。排水弁８は洗濯兼脱水槽３内の洗濯水を排水し、給水弁９は洗濯兼脱水槽３に給水するものである。
【０００５】
洗濯兼脱水槽３の上部には脱水時の振動を低減させるための流体バランサー１０を設け、外槽１の上部に内蓋１１を配設している。また、洗濯機本体上面の衣類投入口１２に蓋１３を開閉自在に配設している。
【０００６】
制御装置１４は、モータ６、排水弁８、給水弁９などの動作を制御し、洗い、すすぎ、脱水の一連の行程を逐次制御するもので、マイクロコンピュータからなる制御手段（図示せず）と、制御手段からの信号によりモータ６、排水弁８、給水弁９などを制御する負荷駆動手段（図示せず）と、操作パネル１７内に配設したキースイッチからなるスイッチ入力手段１８と、発光ダイオードなどの表示装置からなる表示手段１９とを備えている。
【０００７】
リードスイッチ２０は、制御装置１４のプリント基板２３上に実装し、樹脂ケース２４によりリードスイッチ２０を支持し、プリント基板２３から一定の高さをもって固定するようになっている。
【０００８】
また、蓋１３の先端付近に、磁石２５をリードスイッチ２０と対向する位置に配設しており、蓋１３を閉じた状態でリードスイッチ２０の接点は閉じている。そして、制御手段はこのリードスイッチ２０の接点の開閉により、蓋１３の開閉を判断するよう構成している。
【０００９】
上記構成において、蓋１３を開け、洗濯兼脱水槽３に洗濯物と洗剤を投入した後、蓋１３を閉じて運転を開始すると、給水弁９を作動して洗濯兼脱水槽３内に設定水位まで給水し、その後、撹拌翼２を回転駆動することにより、衣類に機械力を加えて、汚れを落とし、すすぎ時においても、洗濯兼脱水槽３内に設定水位まで給水し、撹拌翼２を回転駆動することにより、衣類をすすぐ。
【００１０】
脱水時には、排水弁８を駆動し、洗濯兼脱水槽３内の水を排水した後、モータ６を駆動し、洗濯兼脱水槽３を高速で回転して遠心力で洗濯物の脱水を行う。このとき、洗濯物の状態を見るなどのために、蓋１３を開けると、磁石２５がリードスイッチ２０より離れるため、リードスイッチ２０の接点は開となり、制御手段はモータ６を停止し、減速機構兼クラッチ７に内蔵されているブレーキをかけて洗濯兼脱水槽３の回転を停止させる。
【先行技術文献】
【特許文献】
【００１１】
【特許文献１】特開２００２−３４６２９０号公報
【発明の概要】
【発明が解決しようとする課題】
【００１２】
しかしながら、前記従来の構成では、リードスイッチなどの感度ばらつきや磁石の磁力ばらつき、製造上の取り付けばらつきなど多くのばらつき要素を含んでおり、蓋の開閉検知の精度が悪くなり、蓋を大きく開いてやっと開状態を検知する場合もあった。このため、子供や女性など比較的手の小さな使用者であれば、誤って衣類投入部から手を入れて、高速回転する洗濯兼脱水槽や槽内の洗濯物に触れて怪我をする恐れがあるという課題があった。
【００１３】
本発明は、上記従来の課題を解決するもので、所定の位置で確実に蓋の開状態を検知させることができ、安価で、安全性を高めた洗濯機を提供することを目的としている。
【課題を解決するための手段】
【００１４】
前記従来の課題を解決するために、本発明の洗濯機は、衣類投入口を覆うように開閉自在に設けられた蓋と、前記蓋に突設された凸部と、前記凸部に設けられた磁石と、前記衣類投入口の前部に配設された操作パネルと、前記操作パネルに形成され、前記蓋が閉状態の時に前記凸部および前記磁石が遊嵌する凹部と、前記操作パネル内に設けられた制御装置に配設され、前記磁石と対向する蓋開閉検知機構とを備え、前記凹部の外周部に略矩形状の遮蔽板を挿着するとともに、前記遮蔽板は、蓋が閉状態の時は前記磁石よりも上方に位置し、前記蓋が所定位置まで開いた時に前記磁石よりも下方に位置する構成としたものである。
【００１５】
これにより、磁石の磁力ばらつきやリードスイッチなどの感度ばらつきを厳しく設定する必要がなく、確実に蓋が開いた状態を検知することができ、安価で、高い安全性を発揮することができる。
【発明の効果】
【００１６】
本発明の洗濯機は、複雑な構造にすることなく、所定の位置で確実に蓋の開状態を検知させることができ、安価で、高い安全性を発揮する洗濯機を実現することができる。
【図面の簡単な説明】
【００１７】
【図１】本発明の実施の形態における洗濯機の縦断面図
【図２】同洗濯機の蓋閉時の要部断面図
【図３】同洗濯機の蓋開時の要部断面図
【図４】従来の洗濯機の縦断面図
【図５】同洗濯機の要部断面図
【発明を実施するための形態】
【００１８】
第１の発明は、上衣類投入口を覆うように開閉自在に設けられた蓋と、前記蓋に突設された凸部と、前記凸部に設けられた磁石と、前記衣類投入口の前部に配設された操作パネルと、前記操作パネルに形成され、前記蓋が閉状態の時に前記凸部および前記磁石が遊嵌する凹部と、前記操作パネル内に設けられた制御装置に配設され、前記磁石と対向する蓋開閉検知機構とを備え、前記凹部の外周部に略矩形状の遮蔽板を挿着するとともに、前記遮蔽板は、蓋が閉状態の時は前記磁石よりも上方に位置し、前記蓋が所定位置まで開いた時に前記磁石よりも下方に位置することにより、磁石の磁力ばらつきやリードスイッチなどの感度ばらつきを厳しく設定する必要がなく、確実に蓋が開いた状態を検知することができ、安価で、高い安全性を発揮することができる。
【００１９】
以下、本発明の実施の形態について、図面を参照しながら説明する。なお、従来例と同じ構成のものは同一符号を付して説明を省略する。また、この実施の形態によって本発明が限定されるものではない。
【００２０】
（実施の形態１）
図１は本発明の実施の形態における洗濯機の縦断面図である。
【００２１】
図１において、洗濯機の上部に設けられた上部枠体４０の前部に操作パネル２７が配設されており、操作パネル２７内部には制御装置１４が収設されている。
【００２２】
制御装置１４は、モータ６、排水弁８、給水弁９などの動作を制御し、洗い、すすぎ、脱水の一連の行程を逐次制御するもので、マイクロコンピュータからなる制御手段（図示せず）を備え、この制御手段に、制御装置１４に設けたリードスイッチ２０の出力を入力している。
【００２３】
上部枠体４０中央の衣類投入口１２を覆うように設けられた開閉自在の蓋２８の先端部裏面には、略直方体状の凸部４１が突設され、その先端に略直方体状の磁石２５が設けられている。また、操作パネル２７には、凸部４１の対応位置に凹部４２が形成され、蓋２８を閉めた時に、凸部４１および磁石２５が遊嵌するようになっている。
【００２４】
制御装置１４に設けられたリードスイッチ２０は、磁石２５と対向する位置に配設しており、リードスイッチ２０は、蓋２８が閉じられている状態で接点が閉じてハイ信号を制御手段に入力し、蓋２８が開いて磁石２５が離れると接点が開きロー信号を制御手段に入力する蓋開閉検知機構となっている。制御手段はこのリードスイッチ２０の信号により、蓋２８の開閉を判断する。
【００２５】
また、操作パネル２７の裏面側で凹部４２の外周部には、鉄板材からなる略矩形状の遮蔽板２６が挿着されている。遮蔽板２６を含めた蓋開閉検知機構回りについては、以下、図２、図３で詳述する。
【００２６】
図２は、本発明の実施の形態における洗濯機の蓋閉時の要部縦断面図、図３は、同洗濯機の蓋開時の要部縦断面図である。
【００２７】
図２において、蓋２８が閉じている状態では、磁石２５の凸部４１側端部は、遮蔽板２６よりも下方になるように配置されており、蓋２８が閉じている状態では、磁石２５の磁気回路が矢印のように形成され、この磁気回路によりリードスイッチ２０の接点が閉じられ、そのハイ信号が制御手段に入力される。
【００２８】
ハイ信号が制御手段に入力されると、例えば、洗い行程であれば、給水弁９を作動して洗濯兼脱水槽３内に設定水位まで給水し、その後、撹拌翼２を回転駆動することにより、衣類に機械力を加えて、汚れを落とし、また、すすぎ行程においても、洗濯兼脱水槽３内に設定水位まで給水し、撹拌翼２を回転駆動することにより、衣類をすすぐ。脱水行程においては、排水弁８を駆動し、洗濯兼脱水槽３内の水を排水した後、モータ６を駆動し、洗濯兼脱水槽３を高速で回転して遠心力で洗濯物の脱水を行う。
【００２９】
図３において、脱水行程中に、蓋２８が開かれていき、磁石２５の下面部が遮蔽板２６より上方に位置した時に、遮蔽板２６があることにより、図の矢印のように磁気回路が遮断されてリードスイッチ２０の接点が開状態となり、ロー信号が制御手段に入力されて、制御手段はモータ６を停止し、減速機構兼クラッチ７に内蔵されているブレーキ（図示せず）をかけて、洗濯兼脱水槽３の回転を停止させる。この時、遮蔽板２６の高さ方向の位置は、蓋２８の先端部に指が入らない程度の位置に設定することにより、高い安全性を発揮できる。
【００３０】
以上のように、操作パネル２７の裏面側で凹部４２外周部に鉄板材からなる略矩形状の遮蔽板２６を挿着するとともに、遮蔽板２６は、蓋２８が閉状態の時に磁石２５よりも上方に位置し、かつ、蓋２８先端部に指が入らない所定位置まで蓋２８が開いた時に、磁石２５よりも下方に位置するようにしたことにより、磁石２５の磁力ばらつきやリードスイッチ２０の感度ばらつきを厳しく設定する必要がなく、確実に蓋が開いた状態を検知することができ、安価で、高い安全性を発揮することができる。
【産業上の利用可能性】
【００３１】
以上のように、本発明にかかる洗濯機は、蓋に設けた磁石と遮蔽板の配置により、確実に蓋の開状態を検知させることができるので、蓋開閉検知装置を有する他の電気機器等の用途に適用できる。
【符号の説明】
【００３２】
１２  衣類投入口
１４  制御装置
２０  蓋開閉検知機構（リードスイッチ）
２５  磁石
２６  遮蔽板
２７  操作パネル
２８  蓋
４０  上部枠体
４１  凸部
４２  凹部
【図１】
2013103108.tif 000003
【図２】
2013103108.tif 000004
【図３】
2013103108.tif 000005
【図４】
2013103108.tif 000006
【図５】
2013103108.tif 000007